(57)【要約】【課題】開閉体の全閉時において、開閉体の荷重が開閉体の下端と床面との気密性を高めるためのシール材に集中しにくいように構成された開閉装置を提供する。【解決手段】本発明の開閉装置（シャッター装置）は、建物の開口部を開閉するための開閉体（シャッターカーテン）と、開閉体の下端部における下端面以外の箇所に設けられて、当該開閉体が建物の開口部を閉鎖した全閉時において床面１５と接触して当該床面１５との気密性を維持するシール材４０と、を備えたことを特徴とする。【選択図】図３
2016047996.tif 000002
【特許請求の範囲】
【請求項１】
建物の開口部を開閉するための開閉体と、
開閉体の下端部における下端面以外の箇所に設けられて、当該開閉体が建物の開口部を閉鎖した全閉時において床面と接触して当該床面との気密性を維持するシール材と、
を備えたことを特徴とする開閉装置。
【請求項２】
開閉体の下端部を構成する座板構成部は、座板と、当該座板の上方に位置されて当該座板を上下動可能に保持する座板保持部材と、前記シール材とを備えて構成され、
座板の下面が床面と接触して座板と座板保持部材とが最も近付いた状態となる全閉時においては、シール材の下端側が床面と接触して当該床面との気密性が維持され、座板と座板保持部材とが最も離れた状態となる開放時においては、シール材の下端が当該座板の下面よりも上方に位置されるように、シール材が座板保持部材の側面に取付けられたことを特徴とする請求項１に記載の開閉装置。
【発明の詳細な説明】
【技術分野】
【０００１】
本発明は、建物の開口部を開閉する開閉装置に関し、特に開口部全閉時においてシャッターカーテン（開閉体）の下端と床面との気密性を高めるためのシール材を備えた開閉装置に関する。
【背景技術】
【０００２】
従来、住宅、ビル、倉庫等の建物の出入り口等の開口部に設置される開閉装置としてのシャッター装置において、シャッターカーテンの座板の下面にシール材を設けて開口部全閉時におけるシャッターカーテンの下端と床面との気密性を高めるようにした構成が知られている（例えば特許文献１等参照）。
【先行技術文献】
【特許文献】
【０００３】
【特許文献１】特開２０１２−１６２９４２号公報
【発明の概要】
【発明が解決しようとする課題】
【０００４】
しかしながら、上述した開閉装置は、シール材がシャッターカーテンの座板の下面に設けられているため、開口部を全閉した全閉時において、シール材が座板と床面との間に挟み込まれた状態となり、シャッターカーテンの荷重がシール材に集中する。このため、シール材が疲労しやすくなり、全閉時における座板と床面との気密性が維持され難くなりやすい虞があった。
本発明は、開閉体の全閉時において、開閉体の荷重が開閉体の下端と床面との気密性を高めるためのシール材に集中しにくいように構成された開閉装置を提供する。
【課題を解決するための手段】
【０００５】
本発明に係る開閉装置は、建物の開口部を開閉するための開閉体と、開閉体の下端部における下端面以外の箇所に設けられて、当該開閉体が建物の開口部を閉鎖した全閉時において床面と接触して当該床面との気密性を維持するシール材と、を備えたことを特徴とする。
また、開閉体の下端部を構成する座板構成部は、座板と、当該座板の上方に位置されて当該座板を上下動可能に保持する座板保持部材と、前記シール材とを備えて構成され、座板の下面が床面と接触して座板と座板保持部材とが最も近付いた状態となる全閉時においては、シール材の下端側が床面と接触して当該床面との気密性が維持され、座板と座板保持部材とが最も離れた状態となる開放時においては、シール材の下端が当該座板の下面よりも上方に位置されるように、シール材が座板保持部材の側面に取付けられたことを特徴とする。
【発明の効果】
【０００６】
本発明に係る開閉装置によれば、シール材が開閉体の下端部における下端面以外の箇所に設けられた構成としたため、開閉体の荷重が開閉体の下端と床面との気密性を高めるためのシール材に集中しにくくなり、シール材が疲労しにくくなる。全閉時における座板と床面との気密性を長期間良好に維持できるようになる。
また、開閉体の下端部を構成する座板構成部として、座板と、当該座板の上方に位置されて当該座板を上下動可能に保持する座板保持部材と、シール材とを備えた構成において、全閉時においては、床面と接触するシール材により、開閉体の下端と床面との気密性を確実に維持できることから、遮音性、遮煙、防虫、防塵等に優れ、また、開放時においては、シール材が目視され難くなるので、意匠性、美観性に優れた開閉装置を得ることができる。
【図面の簡単な説明】
【０００７】
【図１】シャッター装置の斜視図。
【図２】シャッター装置のブロック構成図。
【図３】（ａ）は開放時の座板構成部とシール材との関係を示す断面図、（ｂ）は全閉時の座板構成部とシール材と床面との関係を示す断面図。
【発明を実施するための形態】
【０００８】
図１乃至図３に示すように、実施形態による開閉装置の一例としてのシャッター装置１は、開閉体収容ケースの一例としてのケース２と、開閉機構と、開閉体の一例としてのシャッターカーテン４と、ガイドレール５と、電源５８、制御盤５９と、感知器６０と、連動中継器６１と、自動閉鎖装置６２と、増設リミットスイッチ６３と、上限リミットスイッチ６４と、下限リミットスイッチ６５と、非常閉鎖指示操作部６６とを備えた、所謂、防火シャッター装置である。
【０００９】
ケース２は、建物に形成された出入口等の開口部１３の上方に位置する間柱、梁等の取付部としての躯体１４に取付けられ、シャッターカーテン４を巻き取るシャフト６を回転可能に収容するとともに当該シャフト６に巻き取られるシャッターカーテン４を収容する収容空間を形成するように構成される。
即ち、ケース２は、建物に形成された開口部１３の上方に設けられてシャッターカーテン４を収容する収容空間を備えた構成である。
【００１０】
ケース２内に設けられる開閉機構は、シャッターカーテン４を巻き取る巻取シャフト６と、巻取シャフト６の回転中心線６ａを回転中心として当該巻取シャフト６を回転させる開閉駆動手段と、巻取シャフト６の回転を停止させてシャッターカーテン４の開閉動作を停止させる制動手段としてブレーキ８とを備える。
【００１１】
開閉駆動手段は、巻取シャフト６を巻取方向及び繰出方向に回転させる駆動源としてのモーター９及びモーター９の回転力を巻取シャフト６に伝達する図外の歯車伝達機構のような動力伝達機構等により構成される。
また、開閉駆動手段は、手動式シャッター装置の場合は、シャフト６を巻き取り方向に回転させる図外のバネ及びバネに蓄えられた回転力をシャフト６に伝達するプーリーのような動力伝達手段などにより構成される。
【００１２】
巻取シャフト６は、左右の両端がケース２の左右一対のブラケットに設けられた図外の軸受に回転可能に支持され、シャッターカーテン４を巻き取る方向、及び、シャッターカーテン４を繰り出す方向（巻き出す方向）に回転する。
【００１３】
ガイドレール５；５は、開口部１３を開閉するシャッターカーテン４の側端縁４ａ；４ａ（左右の両端部）をガイドする部材であって、開口部１３の矩形の中心を基準とした左右の方向（開口幅方向）に互いに離隔して開口部１３の左端部；右端部にそれぞれ立設され、開口部１３の上下方向に延長するガイド溝５ａを備える。シャッターカーテン４におけるスラット部材１０ａの長手方向の両端部であるシャッターカーテン４の左右の側端縁が、ガイドレール５；５の相対向するガイド溝５ａ；５ａを介して、シャッターカーテン４の開閉方向である上下方向にガイドされることで、シャッターカーテン４が上下方向に移動して開口部１３を開閉する。即ち、シャッター装置１のシャッターカーテン４がシャフト６に巻き取られることで建物の開口部１３が開通し、シャッターカーテン４がシャフト６から繰り出されることで開口部１３が閉鎖される。
【００１４】
シャッターカーテン４は、スラット１０と座板構成部１１と吊元１２とを備える。
スラット１０は、複数のスラット部材１０ａにより形成される。スラット部材１０ａは、シャフト６の回転中心線６ａに沿った方向に長い長尺部材により形成される。スラット１０は、複数のスラット部材１０ａがスラット部材１０ａの長手方向（スラット部材１０ａの長辺に沿った方向）と直交する方向に連続するように、隣り合うスラット部材１０ａ同士の長手方向の両端位置を揃えて長辺同士が図外の係合部によって互いに接続され、接続部分で折れ曲がり可能となった矩形板状に形成される。
【００１５】
座板構成部１１がスラット１０におけるスラット部材１０ａの長手方向と直交する方向の一端（下端）に位置されるスラット部材１０ａの長辺に連結され、吊元１２がスラット１０におけるスラット部材１０ａの長手方向と直交する方向の他端（上端）に位置されるスラット部材１０ａの長辺に連結される。
【００１６】
吊元１２は、スラット１０の他端に位置されるスラット部材１０ａの長辺に沿って当該長辺に間欠的に設けられる連結板であり、後述するように建物の開口部１３の上方に位置する躯体に固定されたケース２におけるシャッターカーテン４の図外の出口孔を経由してシャフト６に連結される。
【００１７】
シャッターカーテン４の下端部を形成する座板構成部１１は、シャフト６の回転中心線６ａに沿った方向（長手方向）に長さがそれぞれ同じ長さに形成された長尺部材により形成される。
図３に示すように、座板構成部１１は、座板２０と、当該座板２０の上方に位置されて当該座板２０を上下動可能に保持する座板保持部材３０と、シール材４０とを備える。
【００１８】
座板２０は、長手方向と直交する断面形状が概略逆Ｔ字形状の長尺部材により形成される。
座板２０は、横延長部２１と、縦延長部２２と、係合部２３とを備える。
横延長部２１は、長手方向に長い長尺平板により形成されてシャッターカーテン４の下端部における下端面を形成する底板２１ａと、底板２１ａの長手方向に沿った両方の側縁より立ち上がるように形成された側板２１ｂ；２１ｃと、側板２１ｂ；２１ｃの上端縁から互いに近づく方向に延長するように設けられて底板と平行な上板２１ｄ；２１ｅとで形成された中空長尺部材により形成される。
縦延長部２２は、各上板２１ｄ；２１ｅの各延長端よりそれぞれ立ち上がるように形成されて互いに対向するように形成された各立上がり板２２ａ：２２ｂにより形成される。
係合部２３は、各立上がり板２２ａ：２２ｂの各上端よりそれぞれ互いに離れる方向に延長するように形成された各係合板２３ａ：２３ｂにより形成される。
【００１９】
座板保持部材３０は、長手方向と直交する断面形状が概略逆凹形状の長尺部材により形成される。
座板保持部材３０は、筐体部３１と、連結部３２と、アクチュエータ３３と、マイクロスイッチ装置３４とを備える。
筐体部３１は、長手方向に長い長尺平板により形成された上板３１ｃと、上板３１ａの長手方向に沿った両方の側縁より立ち下がるように形成された側板３１ｂ；３１ｃと、側板３１ｂ；３１ｃの下端縁から互いに近づく方向に延長するように設けられた下板３１ｄ；３１ｅとで形成され、下板３１ｄの延長端と下板３１ｄの延長端との間の開口３１ｆが長手方向に延長するように形成されている。開口３１ｆの間隔は、各立上がり板２２ａ：２２ｂ間の間隔よりも大きく、かつ、係合板２３ａの延長端と係合板２３ｂの延長端との間の間隔よりも小さい寸法に形成されている。即ち、筐体部３１は、下端に長手方向に長い開口３１ｆが形成された中空長尺部材により形成される。
筐体部３１の内面には、ストッパー３１ｇと、筐体部３１内でアクチュエータ３３を回動可能に支持するため支持部とを備え、当該支持部とアクチュエータ３３の係合部とが係合してアクチュエータ３３を回動可能に支持するヒンジ部３３ａが構成される。
アクチュエータ３３は、筐体部３１内においてヒンジ部３３ａを介して回動可能に設けられている。
連結部３２は、上板３１ｃより上方に延長するように設けられて最も下部に位置されたスラット部材１０ａの下端部１０ｅに取付ねじ等で連結されている。
マイクロスイッチ装置３４は、回動するアクチュエータ３３の押圧部３３ｂで押圧されて接点がＯＮとなるように筐体部３１内に固定されている。
【００２０】
シール材４０は、取付部材５０によって座板保持部材３０の一方の側板３１ｃの外面に取付けられる。シール材４０の下端４１側は、図３に示すように、下端４１に向けて先細り形状となるように構成されている。
取付部材５０は、取付体と固定手段とにより構成される。
金属等で形成された取付体は、座板保持部材３０への連結部５１と、シール材４０が取付けられる取付部５２とを備える。
連結部５１は、筐体部３１の上板３１ａの長手方向に沿って延長して当該上板３１ａの外面に図外の溶接や止ねじ等の固定手段で連結された長尺板部により構成される。
取付部５２は、筐体部３１の一方の側板３１ｃの長手方向に沿って延長して当該一方の側板３１ｃの外面と間隔を隔てて平行に対向するように前記連結部５１と一体、又は、前記連結部５１と図外の連結手段等で接続されて形成された長尺板部により構成される。
シール材４０は、筐体部３１の一方の側板３１ｃの外面と取付部５２との間に挿入されて止ねじや接着剤等の固定手段で筐体部３１の一方の側板３１ｃ及び取付部５２に固定された可撓性を有した例えばプロロプレン系のゴム等により形成された板材を用いればよい。
尚、シール材４０は、筐体部３１の両方の側板３１ｂ；３１ｃ、即ち、屋内側の側板及び屋外側の側板の少なくとも一方に設ければよい。
【００２１】
シール材４０は、座板２０の底板２１ａが床面１５と接触して座板２０の上板２１ｄ；２１ｅと筐体部３１の下板３１ｄ；３１ｅとが接触した状態、即ち、座板２０と座板保持部材３０とが最も近づいた状態となる図３（ｂ）に示すシャッターカーテン４の全閉時においては、下端４１側が床面１５と接触して床面１５との気密性を維持し、かつ、図３（ａ）に示すように、座板２０の係合板２３ａ：２３ｂと筐体部３１の下板３１ｄ；３１ｅとが接触した状態、即ち、座板２０と座板保持部材３０とが最も離れた状態となるシャッターカーテン４の開放時においては下端が座板２０の底板２１ａよりも上方に位置するように、座板保持部材３０の側板３１ｃに取付けられている。
従って、シャッターカーテン４の全閉時においては、床面１５と接触するシール材４０により、シャッターカーテン４の下端４１と床面１５との気密性を維持できることから、遮音性、遮煙、防虫、防塵等に優れたシャッター装置１となる。また、シャッターカーテン４の開放時においては、シール材４０が設けられている側とは反対側の位置からは当該シール材４０が目視され難くなるので、意匠性、美観性に優れたシャッター装置１となる。また、シャッターカーテン４の全開時においては、シール材４０が座板２０の下面に無いため、意匠性、美観性に優れたシャッター装置１となる。
また、シール材４０は、シャッターカーテン４の開放時においては、下端４１が座板２０の底板２１ａよりも上方に位置するように取り付けられており、かつ、下端４１に向けて先細り形状となるように座板２０に近い側の板面が座板２０から離れていくような傾斜面に形成されているため、シャッターカーテン４の全閉時において、シール材４０の下端４１が床面１５に接触した後に、図３（ｂ）に示すように、シール材４０の下端４１側が座板２０から離れるように撓みやすくなって、シール材４０の下端４１側が座板２０の底板２１ａの下と床面１５との間に入り込むことを防止できるようになる。即ち、シャッターカーテン４の全閉時において、シール材４０に邪魔されることなく、座板２０の底板２１ａと床面１５とが直接に接触するように構成されている。
尚、シャッターカーテン４の全閉時において、シール材４０に邪魔されることなく、座板２０の底板２１ａと床面１５とが直接に接触するようにするための構成として、上述した、シャッターカーテン４の開放時において、シール材４０の下端４１を座板２０の底板２１ａよりも上方に位置させる構成や、シール材４０を下端４１に向けて先細り形状とする構成は、あくまでも一例であり、シャッターカーテン４の全閉時において、座板２０の底板２１ａと床面１５とが直接に接触するようにできる構成であればどのような構成であっても構わない。
【００２２】
図２に示すように、上限リミットスイッチ６４は、巻取シャフト６の回転数に基づいてシャッターカーテン４の全開状態を検出した場合に制御盤５８に全開検出信号を送信するスイッチである。
下限リミットスイッチ６５は、巻取シャフト６の回転数に基づいてシャッターカーテン４の全閉状態を検出した場合に制御盤５８に全閉検出信号を送信するスイッチである。
増設リミットスイッチ６３は、シャッターカーテン４の下端が全閉位置よりも少し上の位置（以下、基準位置という）に来たことを連動中継器６１に知らせるスイッチである。
自動閉鎖装置６２は、災害時においてブレーキ８を機械的に解除させる装置である。
即ち、ブレーキ８は、制御盤５９からの停止指令を受けた連動中継器６１によって電気的に制御されるとともに、感知器６０から信号（以下、防災信号という）を受けた連動中継器６１によって機械的に制御される構成である。
連動中継器６１は、防災信号を入力していない場合には、自動閉鎖装置６２、増設リミットスイッチ６３、上限リミットスイッチ６４、下限リミットスイッチ６５等を作動させない。連動中継器６１は、内蔵電池６１ａを備え、停電時において、内蔵電池６１ａの電力により作動する。
非常閉鎖指示操作部６６は、作動ボタンスイッチ６６ａと復旧ボタンスイッチ６６ｂとを備える。作動ボタンスイッチ６６ａは、手動で任意に防災信号を連動中継器６１に送信する。復旧ボタンスイッチ６６ｂは、強制的に連動中継器６１を初期状態に戻すための信号を連動中継器６１に送信する。
【００２３】
例えば、火災等の災害時において、感知器６０から防災信号が連動中継器６１に入力された場合、連動中継器６１は自動閉鎖装置６２にブレーキ解除信号を出力する。これにより、自動閉鎖装置６２がブレーキ８を機械的に解除するので、シャッターカーテン４が自重で降下する。
シャッターカーテン４が自重で降下している際に、上述した座板２０に障害物が衝突した場合、上述したマイクロスイッチ装置３４等の障害物検出手段が作動して障害物検出手段から連動中継器６１に信号が送信される。これにより、連動中継器６１は自動閉鎖装置６２にブレーキ作動信号を出力し、自動閉鎖装置６２がブレーキ８を機械的に作動させるので、シャッターカーテン４の下降動作が一旦停止する。その後、連動中継器６１は、障害物が取り除かれてから所定時間経過することを図外の内蔵タイマで計測し、所定時間経過したならば自動閉鎖装置６２にブレーキ解除信号を出力するので、シャッターカーテン４は降下動作を再開する。
【００２４】
実施形態によれば、シール材４０がシャッターカーテン４の下端部を構成する座板構成部１１における座板２０の下端面以外の箇所、即ち、座板保持部材３０の一方の側板３１ｃの外面に設けられた構成としたため、シャッターカーテン４の荷重がシャッターカーテン４の下端と床面１５との気密性を高めるためのシール材４０に集中しにくくなり、シール材４０が疲労しにくくなるので、全閉時におけるシャッターカーテン４の下端と床面１５との気密性を長期間良好に維持できるようになる。
尚、上述した、シール材がシャッターカーテンの座板の下面に設けられている従来のシャッター装置では、障害物を感知する座板の重量が重くなる。また、座板のスパンが長くなると、座板が撓みにくくなるが、このように撓みにくい座板の下面にシール材が設けた場合、座板がさらに撓みにくくなってしまう。このように、座板の重量が重くなったり、座板が撓みにくくなってしまうと、座板を持ち上げてマイクロスイッチ装置３４等の障害物検出手段が障害物を検出するまでに大きな力が必要になり、検出までの時間も長くなる可能性があり、障害物検出反応が鈍くなる可能性がある。
一方、実施形態のシャッター装置１では、座板２０の下面にシール材を設けないので、座板の重量が重くなったり、座板が撓みにくくなる可能性を少なくでき、障害物検出反応が鈍くなる可能性を少なくできる。
【００２５】
尚、シール材４０は、ガイドレール５内まで延在させた構成としてもよい。
実施形態では、防火シャッター装置を例にし、シャッターカーテン４の下端部を構成する座板構成部として、座板２０と、座板２０の上方に位置されて当該座板２０を上下動可能に保持する座板保持部材３０とを有した座板構成部１１を備え、当該座板構成部１１の座板保持部材３０の側面３１ｃにシール材４０を設けた構成を例示したが、座板保持部材３０の下板３１ｄや下板３１ｅにシール材４０を設けた構成としてもよい。
【００２６】
また、実施形態においては、座板２０の左右両端部の厚さを薄くして当該座板２０の左右両端部を左右のガイド溝５ａ；５ａ内に入り込ませているが、当該座板２０の左右両端部を除く座板２０及び座板保持部材３０はガイド溝５ａ；５ａ内に入り込んでいない。即ち、座板２０の左右両端部を除く座板２０及び座板保持部材３０は、厚さ寸法が、ガイド溝５ａの溝幅よりも厚く、かつ、左右方向の長さ寸法が、左右のガイドレール５；５間の長さ（言い換えれば開口部１３の幅長）と同じか若干短い長さに構成されている。そして、シール材４０の幅長（左右方向の長さ寸法）も、座板２０の左右両端部を除く座板２０及び座板保持部材３０の幅長とほぼ同じ長さであるので、シール材４０の左右両端部もガイド溝５ａ；５ａ内に入り込んでいない。勿論、使用上において支障がなければ、シール材４０の左右両端部をガイド溝５ａ；５ａ内に入り込ませた構成としてもよい。また、シール材４０の左右両端部をガイド溝５ａ；５ａ内に入り込ませずに、シール材４０として、座板保持部材３０の幅長よりも大きい幅長や小さい幅長のものを用いても構わない。
【００２７】
また、座板２０と座板保持部材３０とを備えた座板構成部１１ではなく、座板保持部材３０を備えない構成の座板の側面にシール材４０を設けるようにしてもよい。
【００２８】
本発明の適用対象となる開閉装置の開閉体をシャッターカーテン４とした場合、その構成態様としては、所謂スラットを上下方向に複数連設した態様だけではなく、パイプ、パネル、シート状物又はネット状物を単数もしくは複数連設して成る態様のシャッターカーテン、あるいは、スラット、パネル、パイプ、シート状物、ネット状物を適宜に組合せたシャッターカーテンでもよい。所謂、オーバヘッドタイプのシャッターカーテンにも適用できる。
即ち、本発明の適用対象となる開閉体は、巻き取られるもののみでなく、例えば、チェーン等により複数のパネルが吊持された構成のパネルシャッターのように、駆動軸が左右側板に支持され、各パネル等の開閉体構成部材が折り畳まれたり並べられたりして収容されるものでもよい。
また、本発明の適用対象となる床面とは、開閉体の閉鎖方向先端部が開閉体の全閉時において当接する部材の表面の総称であり、典型的には床面であるが、これに限定されるものではない。
【符号の説明】
【００２９】
１  シャッター装置（開閉装置）、２  開閉体収容ケース、
４  シャッターカーテン（開閉体）、１１  座板構成部、１３  開口部、１５  床面、
２０  座板、３０  座板保持部材、３１ｃ  側面、４０  シール材。
【図１】
2016047996.tif 000003
【図２】
2016047996.tif 000004
【図３】
2016047996.tif 000005